(57)【特許請求の範囲】
【請求項１】
（ａ）成分を１０質量％以上７０質量％以下、（ｂ）成分、（ｃ）成分、（ｄ）成分を０．３質量％以上９質量％以下、（ｅ）成分、及び水を含有し、
（ｂ）成分の含有量と（ｃ）成分の含有量の合計量が０．２質量％以上１０質量％以下であり、
（ｄ）成分の含有量と（ｃ）成分の含有量との質量比が、（ｄ）成分の含有量／（ｃ）成分の含有量で０．１以上９以下であり、
（ｄ）成分として、下記（ｄ１）成分と下記（ｄ２）成分とを含有する、
衣料用液体洗浄剤組成物。
（ａ）成分：ノニオン界面活性剤及びアニオン界面活性剤（但し（ｄ）成分は除く）から選ばれる１種以上の界面活性剤
（ｂ）成分：下記一般式（ｂ１）で表される第４級アンモニウム化合物
【化１】
0006676351.tif 000005
〔式中、Ｒb1,Ｒb2はそれぞれ独立に炭素数８以上１０以下の鎖式炭化水素基であり、Ｒb3、Ｒb4はそれぞれ独立に炭素数１以上３以下のアルキル基、又は炭素数１以上３以下のヒドロキシアルキル基であり、Ｘ-は炭素数１以上３以下のアルキル硫酸イオン又はハロゲンイオンである。〕
（ｃ）成分：下記一般式（ｃ１）で表される第４級アンモニウム化合物
【化２】
0006676351.tif 000006
〔式中、Ｒｃ1は炭素数８以上１６以下の鎖式炭化水素基であり、Ｒc2、Ｒc3、Ｒc4はそれぞれ独立に炭素数１以上３以下のアルキル基、又は炭素数１以上３以下のヒドロキシアルキル基であり、Ｙ-は炭素数１以上３以下のアルキル硫酸イオン又はハロゲンイオンである。〕
（ｄ）成分：炭素数８以上２０以下の脂肪酸又はその塩
（ｄ１）成分：炭素数１２の脂肪酸又はその塩
（ｄ２）成分：炭素数１４以上２０以下の脂肪酸又はその塩
（ｅ）成分：水酸基を有する有機溶剤
【請求項２】
（ｂ）成分の含有量と（ｃ）成分の含有量との質量比が、（ｂ）成分の含有量／（ｃ）成分の含有量で０．１以上１０以下である、請求項１記載の衣料用液体洗浄剤組成物。
【請求項３】
（ｂ）成分の含有量と（ｃ）成分の含有量の合計量と（ｄ）成分の含有量との質量比が、［（ｂ）成分の含有量＋（ｃ）成分の含有量］／（ｄ）成分の含有量で０．３以上８以下である、請求項１又は２記載の衣料用液体洗浄剤組成物。
【請求項４】
（ａ）成分を１５質量％以上７０質量％以下含有する、請求項１〜３の何れか１項記載の衣料用液体洗浄剤組成物。
【請求項５】
（ｄ）成分を０．５質量％以上９質量％以下含有する、請求項１〜４の何れか１項記載の衣料用液体洗浄剤組成物。
【請求項６】
（ａ）成分のアニオン界面活性剤が、炭素数８以上１８以下の脂肪族炭化水素基を有するスルホン酸塩、及び炭素数１０以上１８以下の脂肪族炭化水素基を有する硫酸エステル塩から選ばれる１種以上である、請求項１〜５の何れか１項記載の衣料用液体洗浄剤組成物。
【請求項７】
（ｄ２）成分の含有量と（ｄ１）成分の含有量の質量比が、（ｄ２）成分／（ｄ１）成分で、０．５以上１０以下である、請求項１〜６の何れか１項に記載の衣料用液体洗浄剤組成物。
【請求項８】
（ａ）成分中のノニオン界面活性剤の割合が５０質量％以上である、請求項１〜７の何れか１項に記載の衣料用液体洗浄剤組成物。
【発明の詳細な説明】
【技術分野】
【０００１】
本発明は、衣料用液体洗浄剤組成物に関する。
【背景技術】
【０００２】
衣料用液体洗浄剤組成物は、衣料に付着した汚れを洗浄する作用を有する。近年、カチオン界面活性剤を含有する衣料用液体洗浄剤組成物を用いて、衣料を洗浄し脱水した後、衣料が乾燥するまでに衣料から発生する生乾き臭を抑制することが望まれている。
【０００３】
特許文献１には、非イオン界面活性剤、炭素数１２〜１８の鎖式炭化水素基を一つ有する陽イオン界面活性剤、炭素数１２の直鎖の第１級アルキル基とエチレンオキシ基を２〜５個有する非イオン性化合物、過酸化水素及び水を含有る液体洗浄剤組成物が開示されている。特許文献１で開示される衣料用液体洗浄剤組成物は、衣料から発生する生乾き臭の生成を抑制することが記載されている。特許文献２には、ベンジル基等の基を含むカチオン化合物と炭素数８〜１２の炭化水素基を２つ有する４級アンモニウム化合物と非イオン界面活性剤を含有し、抗菌性、室内干し時等の洗濯物の生乾き臭抑制に優れ、且つ洗浄力に優れた液体洗浄剤組成物が開示されている。具体的な液体洗浄剤組成物として脂肪酸が使用されている。
【０００４】
特許文献３には、カチオン界面活性剤とアニオン界面活性剤が錯体を形成し、それぞれの界面活性剤の効果が消失する課題を、脂肪酸等の可溶化剤を使用して解決する製造方法が記載されている。特許文献４には、アルカリ剤、非イオン界面活性剤、特定のカチオン界面活性剤、カルボキシル基を有するポリマー及び水を含有し、衣料に対する洗浄力と消臭性に優れるとともに、除菌効果、抗菌防臭効果を有し、再汚染や移染に対する防止性能にも優れた衣料用液体洗浄剤組成物が開示されている。
【先行技術文献】
【特許文献】
【０００５】
【特許文献１】特開２０１２−２３３１４４号公報
【特許文献２】特開２００２−３４８５９３号公報
【特許文献３】特開２００２−１２９１８９号公報
【特許文献４】特開２００９−１９１０９８号公報
【発明の概要】
【発明が解決しようとする課題】
【０００６】
近年、ドラム型洗濯機が普及している。使用者は、ドラム型洗濯機での洗浄工程の直後に、ドラム型洗濯機の前面の窓から、洗濯機内部の泡の状態を見ることができる。窓から見える洗濯機内の泡が少ない方が、次のすすぎが充分に行われると使用者は感じることから好ましい。泡を消泡する効果を有する化合物として炭素数１０以上１８以下の脂肪酸が使用されることがある。
特許文献２に記載の芳香族基やピリジニウム基を含む第４級アンモニウム化合物は殺菌剤として用いられている。しかしながら、これらの殺菌剤は一般的に高価であることが多い。そこで、芳香族基やピリジニウム基を含まない第４級アンモニウム化合物を使用する場合がある。
【０００７】
しかしながら、脂肪酸と、例えば炭素数８以上１６以下の鎖式炭化水素基を一つ有し、芳香族基やピリジニウム基を含まない第４級アンモニウム塩を併用すると、これらが衣料用液体洗浄剤組成物中で複合体を形成し、低温での保存時に固体物が当該組成物中に析出する場合があることが見出された。
本発明は、低温での保存安定性に優れ、衣料に対してさらに高い抗菌効果を付与できる、衣料用液体洗浄剤組成物に関する。
【課題を解決するための手段】
【０００８】
本発明は、（ａ）成分を１０質量％以上７０質量％以下、（ｂ）成分、（ｃ）成分、（ｄ）成分を０．３質量％以上９質量％以下、（ｅ）水酸基を有する有機溶剤、及び水を含有し、
（ｂ）成分の含有量と（ｃ）成分の含有量の合計量が０．２質量％以上１０質量％以下であり、
（ｄ）成分の含有量と（ｃ）成分の含有量との質量比が、（ｄ）成分の含有量／（ｃ）成分の含有量で０．１以上９以下である、衣料用液体洗浄剤組成物に関する。
（ａ）成分：ノニオン界面活性剤及びアニオン界面活性剤（但し（ｄ）成分は除く）から選ばれる１種以上の界面活性剤
（ｂ）成分：下記一般式（ｂ１）で表される第４級アンモニウム化合物
【０００９】
【化１】
0006676351.tif 000002
【００１０】
〔式中、Ｒb1,Ｒb2がそれぞれ独立に炭素数８以上１０以下の鎖式炭化水素基であり、Ｒb3、Ｒb4は、それぞれ独立に炭素数１以上３以下のアルキル基、又は炭素数１以上３以下のヒドロキシアルキル基であり、Ｘ-は炭素数１以上３以下のアルキル硫酸イオン又はハロゲンイオンである。〕
（ｃ）成分：下記一般式（ｃ１）で表される第４級アンモニウム化合物
【００１１】
【化２】
0006676351.tif 000003
【００１２】
〔式中、Ｒｃ1は炭素数８以上１６以下の鎖式炭化水素基であり、Ｒc2、Ｒc3、Ｒc4は、それぞれ独立に炭素数１以上３以下のアルキル基、又は炭素数１以上３以下のヒドロキシアルキル基であり、Ｙ-は炭素数１以上３以下のアルキル硫酸イオン又はハロゲンイオンである。〕
（ｄ）成分：炭素数８以上２０以下の脂肪酸又はその塩
（ｅ）成分：水酸基を有する有機溶剤
【発明の効果】
【００１３】
本発明によれば、低温での保存安定性に優れ、衣料に対してさらに高い抗菌効果を付与できる、衣料用液体洗浄剤組成物が提供される。
【発明を実施するための形態】
【００１４】
＜（ａ）成分＞
（ａ）成分は、ノニオン界面活性剤及びアニオン界面活性剤（但し（ｄ）成分を除く）から選ばれる１種以上の界面活性剤である。
【００１５】
ノニオン界面活性剤は、ポリオキシアルキレン基を有するノニオン界面活性剤が好ましい。
ポリオキシアルキレン基を有するノニオン界面活性剤の好ましい例として、下記一般式（ａ１）で表されるノニオン界面活性剤が挙げられる。
Ｒａ１（ＣＯ）ｍＯ−（Ａ１Ｏ）ｎ−Ｒａ２        （ａ１）
〔式中、Ｒａ１は炭素数９以上１６以下の脂肪族炭化水素基であり、Ｒａ２は水素原子又はメチル基であり、ＣＯはカルボニル基であり、ｍは０又は１の数であり、Ａ１Ｏ基はエチレンオキシ基及びプロピレンオキシ基から選ばれる１種以上の基であり、ｎは平均付加モル数であって、２以上３０以下の数である。〕
【００１６】
一般式（ａ１）中、Ｒａ１は炭素数９以上１６以下の脂肪族炭化水素基である。衣料の抗菌効果をより高める点で、Ｒａ１は炭素数１１以上１４以下の脂肪族炭化水素基が好ましい。Ｒａ１の脂肪族炭化水素基としては、アルキル基及びアルケニル基から選ばれる基が挙げられ、アルキル基が好ましい。Ｒａ１は直鎖の基であることが好ましい。Ｒａ１のＣＯ又はＯと結合する炭素原子は、第１級炭素原子であることが好ましい。
（ｃ）成分と（ｄ）成分が共存していても、本発明の衣料用液体洗浄剤組成物の保存安定性がより向上できる観点で、Ｒａ１の全量中、炭素数１１以上１４以下の脂肪族炭化水素基の割合は、６０質量％以上が好ましく、７０質量％以上がより好ましく、そして、１００質量％以下が好ましく、１００質量％であってもよい。
【００１７】
一般式（ａ１）中、Ａ１Ｏ基はエチレンオキシ基及びプロピレンオキシ基から選ばれる１種以上の基である。Ａ１Ｏ基がエチレンオキシ基であると低温での保存安定性の低下が生じやすいが、本発明ではその場合でも低温安定性が良好となるため、Ａ１Ｏ基がエチレンオキシ基である場合に本発明の効果をより享受できる。また、低温での保存安定性を向上できる観点で、Ａ１Ｏ基はエチレンオキシ基とプロピレンオキシ基を含む基であることが好ましい。Ａ１Ｏ基がエチレンオキシ基とプロピレンオキシ基を含む基である場合の、エチレンオキシ基とプロピレンオキシ基の結合様式は、ランダムでも良く、ブロックでも良く、又はランダムとブロックの混合で合っても良い。
【００１８】
一般式（ａ１）中、ｎは平均付加モル数であって、２以上３０以下の数である。低温での保存安定性がより向上できる観点で、ｎは３以上が好ましく、４以上がより好ましく、そして２８以下が好ましく、２６以下がより好ましく、２４以下がさらに好ましい。
【００１９】
アニオン界面活性剤は、炭素数８以上１８以下の脂肪族炭化水素基を有するスルホン酸塩、及び炭素数１０以上１８以下の脂肪族炭化水素基を有する硫酸エステル塩から選ばれる１種以上のアニオン界面活性剤が好ましい。
【００２０】
炭素数８以上１８以下の脂肪族炭化水素基を有するスルホン酸塩の好ましい具体例としては、炭素数８以上１８以下のアルキル基を有するアルキルベンゼンスルホン酸塩が挙げられる。炭素数８以上１８以下のアルキル基とは、アルキルベンゼンスルホン酸塩のベンゼン環に置換するアルキル基を意味し、ベンゼン骨格は含まない。衣料に付着した汚れの洗浄性をより向上できる観点で、アルキル基の炭素数は１０以上が好ましく、１１以上がより好ましく、そして１６以下が好ましい。
【００２１】
炭素数１０以上１８以下の脂肪族炭化水素基を有する硫酸エステル塩の好ましい例としては、下記一般式（ａ２）で表される硫酸エステル塩から選ばれる１種以上の硫酸エステル塩が挙げられる。
Ｒａ３Ｏ−（Ａ２Ｏ）ｌ−ＳＯ３Ｍ        （ａ２）
〔式中、Ｒａ３は炭素数１０以上１８以下の脂肪族炭化水素基であり、Ａ２Ｏ基はエチレンオキシ基及びプロピレンオキシ基から選ばれる１種以上の基であり、ｌは平均付加モル数であって、０以上５以下の数である。Ｍは対イオンである。〕
【００２２】
一般式（ａ２）中、Ｒａ３は衣料に付着した汚れの洗浄性をより向上できる観点で、炭素数１２以上の脂肪族炭化水素基が好ましく、そして炭素数１６以下の脂肪族炭化水素基が好ましい。低温での保存安定性を維持しつつ、衣料に付着した汚れの洗浄性をより向上できる観点で、Ｒａ３中の炭素数１２以上、１６以下の脂肪族炭化水素基の含有割合は、６０質量％以上が好ましく、７０質量％以上がより好ましく、８０質量％以上がより好ましい。すなわち、（ａ２）中、Ｒ３が炭素数１２以上１６以下の脂肪族炭化水素基であるアニオン界面活性剤の割合は、低温での保存安定性がより向上できる観点で、６０質量％以上が好ましく、７０質量％以上がより好ましく、８０質量％以上がより好ましい。
Ｒａ３の脂肪族炭化水素基としては、アルキル基、アルケニル基が挙げられ、アルキル基が好ましい。
【００２３】
一般式（ａ２）中、Ａ２Ｏ基はエチレンオキシ基及びプロピレンオキシ基から選ばれる１種以上の基である。Ａ２Ｏ基は全てエチレンオキシ基であっても良く、また全てプロピレンオキシ基であっても良い。また、エチレンオキシ基とプロピレンオキシ基を含んでいても良い。エチレンオキシ基とプロピレンオキシ基を含む場合は、ランダムに含んでいても良く、ブロックであっても良い。低温での保存安定性がより向上できる観点で、Ａ２Ｏ基はエチレンオキシ基を含むことが好ましい。
【００２４】
一般式（ａ２）中、ｌは平均付加モル数であり、０以上５以下の数である。平均付加モル数が「０」である硫酸エステル塩の意味は、一般式（ａ２）中にＡ２Ｏ基が含まれない硫酸エステル塩を表す。低温での保存安定性が向上できる観点で、ｌは０．５以上が好ましく、１以上がより好ましく、１．３以上がより好ましく、１．５以上がより好ましく、２以上がより好ましい。衣料に付着した汚れの洗浄性をより向上できる観点で、４以下が好ましく、３以下がより好ましい。
【００２５】
例えば前記一般式（ａ２）において、ｌが０を超え５以下の硫酸エステル塩中には、ｌが０である硫酸エステル塩を含む場合がある。また、ｌが０である硫酸エステル塩とｌが０を超え５以下の硫酸エステル塩の２種類の硫酸エステル塩を配合し、本発明の衣料用液体洗浄剤組成物中に含有させる場合もある。本発明において、前記一般式（ａ２）中のｌは、本発明の組成物中に含まれる全ての一般式（ａ２）で表される硫酸エステル塩を合計して算出される値で表すものとする。
【００２６】
一般式（ａ２）中、Ｍで表される対イオンとしては、アルカリ金属イオン、及び炭素数１以上、６以下のアルカノールアンモニウムイオンから選ばれる対イオンが挙げられる。アルカリ金属イオンとしては、ナトリウムイオン、カリウムイオンが挙げられる。炭素数１以上、６以下のアルカノールアンモニウムイオンとしては、モノエタノールアンモニウムイオン、ジエタノールアンモニウムイオン、Ｎ−メチルエタノールアンモニウムイオン、Ｎ−メチルジエタノールアンモニウムイオン、トリエタノールアンモニウムイオンが挙げられる。
【００２７】
衣料への抗菌性を付与する効果が更に高まる観点、又は洗浄時の泡立ちをより抑制する観点で、（ａ）成分中のノニオン界面活性剤の割合は、好ましくは１０質量％以上、より好ましくは２０質量％以上、さらに好ましくは３０質量％以上、さらにより好ましくは４０質量％以上、さらにより好ましくは５０質量％以上、さらにより好ましくは６０質量％以上、さらにより好ましくは７０質量％以上、さらにより好ましくは８０質量％以上であり、そして、１００質量％以下であり、１００質量％であってもよい。また、衣料に付着した汚れの洗浄性の向上の点で、（ａ）成分中のノニオン界面活性剤の割合は、１００質量％未満であってもよく、９５質量％未満であってもよい。
【００２８】
尚、本発明においてアニオン界面活性剤の質量は、対イオンをＮａに換算した値を用いるものとする。
【００２９】
＜（ｂ）成分＞
（ｂ）成分は、前記一般式（ｂ１）で表される化合物である。
一般式（ｂ１）中、Ｒｂ１、Ｒｂ２は衣料により高い抗菌効果を付与できる点で、それぞれ、炭素数９以上が好ましく、１０がより好ましい。Ｒｂ１、Ｒｂ２の具体例は、それぞれ独立に、オクチル基、ノニル基、デシル基であり、衣料への抗菌効果を付与する効果をより高める点で、ノニル基、デシル基が好ましく、デシル基がさらに好ましい。
【００３０】
一般式（ｂ１）中、Ｒｂ３、Ｒｂ４はそれぞれ独立に、炭素数１以上３以下のアルキル基、又は炭素数１以上３以下のヒドロキシアルキル基である。炭素数１以上３以下のアルキル基の具体例は、メチル基、エチル基、プロピル基が挙げられる。炭素数１以上３以下のヒドロキシアルキル基の具体例は、ヒドロキシメチル基、ヒドロキシエチル基、ヒドロキシプロピル基が挙げられる。
【００３１】
一般式（ｂ１）中、Ｘ−は炭素数１以上３以下のアルキル硫酸イオン、又はハロゲンイオンである。炭素数１以上３以下のアルキル硫酸イオンの具体例は、メチル硫酸イオン、エチル硫酸イオン、プロピル硫酸イオンである。ハロゲンイオンの具体例は、クロルイオン、ブロモイオンであり、衣料の黄変抑制の点からクロルイオンが好ましい。
【００３２】
（ｂ）成分のより具体的な化合物は、Ｎ，Ｎ−ジオクチル−Ｎ，Ｎ−ジメチルアンモニウム塩、Ｎ，Ｎ−ジノニル−Ｎ，Ｎ−ジメチルアンモニウム塩、Ｎ，Ｎ−ジデシル−Ｎ，Ｎ−ジメチルアンモニウム塩、Ｎ，Ｎ−ジオクチル−Ｎ−エチル−Ｎ−メチルアンモニウム塩、Ｎ，Ｎ−ジノニル−Ｎ−エチル−Ｎ−メチルアンモニウム塩、及びＮ，Ｎ−ジデシル−Ｎ−エチル−Ｎ−メチルアンモニウム塩から選ばれる１種以上の化合物が挙げられる。これらの塩となる対イオンは、メチル硫酸イオン、エチル硫酸イオン又はクロルイオン等のハロゲンイオンである。
【００３３】
衣料により高い抗菌効果を付与できる点で、（ｂ）成分はＮ，Ｎ−ジデシル−Ｎ，Ｎ−ジメチルアンモニウム塩、及びＮ，Ｎ−ジデシル−Ｎ−エチル−Ｎ−メチルアンモニウム塩から選ばれる１種以上の化合物が好ましい。これらの塩となる対イオンは、メチル硫酸イオン、エチル硫酸イオン又はクロルイオン等のハロゲンイオンである。
【００３４】
＜（ｃ）成分＞
（ｃ）成分は、前記一般式（ｃ１）で表される化合物である。
一般式（ｃ１）中、Ｒｃ１は衣料により高い抗菌効果を付与できる点で、炭素数は１０以上が好ましく、１１以上がより好ましく、１２以上がさらに好ましい。本発明の衣料用液体洗浄剤組成物の外観をより透明になりやすくする点で、Ｒｃ１の炭素数は１６以下が好ましく、１４以下がより好ましい。Ｒｃ１の具体例は、オクチル基、ノニル基、デシル基、ドデシル基、トリデシル基、テトラデシル基、ペンタデシル基、ヘキサデシル基が挙げられる。
【００３５】
一般式（ｃ１）中、Ｒｃ２、Ｒｃ３、Ｒｃ４はそれぞれ独立に、炭素数１以上３以下のアルキル基又は炭素素数１以上３以下のヒドロキシアルキル基である。炭素数１以上３以下のアルキル基の具体例は、メチル基、エチル基、プロピル基が挙げられる。炭素数１以上３以下のヒドロキシアルキル基の具体例は、ヒドロキシメチル基、ヒドロキシエチル基、ヒドロキシプロピル基が挙げられる。
【００３６】
一般式（ｃ１）中、Ｙ−は炭素数１以上３以下のアルキル硫酸イオン又はハロゲンイオンである。炭素数１以上３以下のアルキル硫酸イオンの具体例は、メチル硫酸イオン、エチル硫酸イオン、プロピル硫酸イオンである。ハロゲンイオンの具体例はクロルイオン、ブロモイオンであり、衣料の黄変抑制の点からクロルイオンが好ましい。
【００３７】
より好ましい具体的な（ｃ）成分として、下記の（ｃ１−１）、（ｃ１−２）から選ばれる１種以上の化合物が挙げられる。
（ｃ１−１）：前記一般式（ｃ１）中、Ｒｃ１は炭素数８以上１６以下の炭化水素基であり、Ｒｃ２、Ｒｃ３、Ｒｃ４はそれぞれメチル基又はエチル基であり、Ｙ-はメチル硫酸イオン、エチル硫酸イオン又はクロルイオン等のハロゲンイオンである化合物。
【００３８】
（ｃ１−１）のさらに具体的な化合物は、Ｎ−オクチル−Ｎ，Ｎ，Ｎ−トリメチルアンモニウム塩、Ｎ−デシル−Ｎ，Ｎ，Ｎ−トリメチルアンモニウム塩、Ｎ−ドデシル−Ｎ，Ｎ，Ｎ−トリメチルアンモニウム塩、Ｎ−テトラデシル−Ｎ，Ｎ，Ｎ−トリメチルアンモニウム塩、及びＮ−ヘキサデシル−Ｎ，Ｎ，Ｎ−トリメチルアンモニウム塩から選ばれる１種以上の化合物である。これらの塩としては、メチル硫酸塩、エチル硫酸塩又はクロル塩が好ましい。
【００３９】
（ｃ１−２）：前記一般式（ｃ１）中、Ｒｃ１は炭素数８以上１６以下の炭化水素基であり、Ｒｃ２、Ｒｃ３はそれぞれメチル基又はエチル基であり、Ｒｃ４は炭素数１以上３以下のヒドロキシアルキル基であり、Ｙ-はメチル硫酸イオン、エチル硫酸イオン又はクロルイオン等のハロゲンイオンである化合物。
【００４０】
（ｃ１−２）のさらに具体的な化合物は、Ｎ−オクチル−Ｎ−ヒドロキシエチル−Ｎ，Ｎ−トリメチルアンモニウム塩、Ｎ−デシル−Ｎ−ヒドロキシエチル−Ｎ，Ｎ−トリメチルアンモニウム塩、Ｎ−ドデシル−Ｎ−ヒドロキシエチル−Ｎ，Ｎ−ジメチルアンモニウム塩、Ｎ−テトラデシル−Ｎ−ヒドロキシエチル−Ｎ，Ｎ−ジメチルアンモニウム塩、及びＮ−ヘキサデシル−Ｎ−ヒドロキシエチル−Ｎ，Ｎ−ジメチルアンモニウム塩から選ばれる１種以上の化合物である。これらの塩としては、メチル硫酸塩、エチル硫酸塩又はクロル塩が好ましい。
【００４１】
＜（ｄ）成分＞
（ｄ）成分は、炭素数８以上２０以下の脂肪酸又はその塩である。
（ｄ）成分は、オクタン酸、デカン酸、ラウリン酸、ミリスチン酸、パルミチン酸、ステアリン酸、アラキジン酸、パルミトレイン酸、ステアリン酸、オレイン酸、リノール酸、リノレイン酸及びこれらの塩が挙げられる。また、椰子組成脂肪酸などの混合脂肪酸を用いることも可能である。脂肪酸の塩としては、ナトリウム塩、カリウム塩、マグネシウム塩、アンモニウム塩から選ばれる無機塩、モノエタノールアンモニウム塩、ジエタノールアンモニウム塩、トリエタノールアンモニウム塩などの有機アミン塩であるが、好ましくはナトリウム塩、カリウム塩、マグネシウム塩、より好ましくはナトリウム塩、カリウム塩が挙げられる。
【００４２】
（ｄ）成分は、低温での保存安定性をさらに向上できる点で、不飽和基を含む脂肪酸又はその塩を含む脂肪酸であることが好ましい。
低温での保存安定性をさらに向上できる点で、（ｄ）成分中の不飽和基を含む脂肪酸又はその塩の含有量は、０．５質量％以上が好ましく、１質量％以上がより好ましく、２質量％以上がより好ましく、３質量％以上がより好ましく、４質量％以上がより好ましく、５質量％以上がさらに好ましい。上限値は１００質量％である。上限値は、７０質量％以下、更に４０質量％とすることができる。
【００４３】
本発明の衣料用液体洗浄剤組成物は、（ｄ）成分として、炭素数１２の脂肪酸又はその塩〔以下、（ｄ１）成分という〕と炭素数１４以上２０以下の脂肪酸又はその塩〔以下、（ｄ２）成分という〕とを含有することが、洗浄後のすすぎ性向上の観点から、好ましい。（ｄ２）成分の含有量と（ｄ１）成分の含有量の質量比は、（ｄ２）成分／（ｄ１）成分で、好ましくは０．５以上、より好ましくは０．８以上、更に好ましくは１以上であり、そして、低温での保存安定性の向上の点から、好ましくは１０以下、より好ましくは５以下である。
【００４４】
（ｄ）成分のうち、炭素数が多い脂肪酸又はその塩は、低温での保存安定性が低下しやすい傾向にある。（ｄ１）成分と（ｄ２）成分とを用いることは、前記の通り、洗浄後のすすぎ性向上の観点から好ましいものであるが、例えば、（ｄ２）成分／（ｄ１）成分の質量比が、０．６以上、更に０．７以上、更に０．８以上、更に０．９以上、更に１．０以上、更に１．１以上、更に１．２以上、更に１．３以上、更に１．４以上であり、そして５以下、更に４以下、更に３以下であると、本発明の（ｃ）成分である、炭素数８以上１６以下の鎖式炭化水素基を一つ有する第４級アンモニウム化合物と共存した場合の、低温での保存安定性が低下しやすくなる。本発明では、（ｂ）成分を更に共存させることで、（ｄ２）成分／（ｄ１）成分の質量比がこれらの範囲にある混合脂肪酸又はその塩を用いても、低温での保存安定性を向上させることが出来る。
【００４５】
尚、本発明で用いる（ｄ）成分の質量は酸型に換算した値を用いるものとする。
【００４６】
＜（ｅ）成分＞
（ｅ）成分は、水酸基を有する有機溶剤である。
水酸基を有する有機溶剤としては、以下の（ｅ１）成分〜（ｅ６）成分から選ばれる１種以上の化合物が用いられる。
【００４７】
（ｅ１）成分：炭素数２以上６以下の脂肪族炭化水素基を有する１価のアルコール
（ｅ１）成分として、例えばエタノール、１−プロパノール、２−プロパノール及び１−ブタノールから選ばれる１価のアルコールが挙げられる。
【００４８】
（ｅ２）成分：炭素数２以上６以下の２価以上６価以下のアルコール
（ｅ２）成分として、例えばエチレングリコール、プロピレングリコール、ブチレングリコール、２−メチル−２，４−ペンタンジオール、１，５−ペンタンジオール、１，６−ヘキサンジオール及びグリセリンから選ばれる２価又は３価のアルコールが挙げられる。２−メチル−２，４−ペンタンジオールは、ヘキシレングリコールとも称される。
【００４９】
（ｅ３）成分：炭素数２以上４以下のアルキレングリコール単位を含有するポリアルキレングリコール
（ｅ３）成分として、例えばジエチレングリコール、トリエチレングリコール、テトラエチレングリコール、ジプロピレングリコール、トリプロピレングリコール、重量平均分子量４００以上４０００以下のポリエチレングリコール及び重量平均分子量４００以上４０００以下のポリプロピレングリコールから選ばれるポリアルキレングリコールが挙げられる。
【００５０】
（ｅ４）成分：炭素数２以上４以下のアルキレングリコール単位と、炭素数１以上４以下のアルキル基とを有する、（モノ又はポリ）アルキレングリコールのモノアルキルエーテル
（ｅ４）成分として、例えばジエチレングリコールモノメチルエーテル、トリエチレングリコールモノメチルエーテル、ジエチレングリコールモノエチルエーテル、ジプロピレングリコールモノメチルエーテル、ジプロピレングリコールモノエチルエーテル、トリプロピレングリコールモノメチルエーテル、ジエチレングリコールモノブチルエーテル、１−メトキシ−２−プロパノール及び１−エトキシ−２−プロパノールから選ばれる化合物が挙げられる。
【００５１】
（ｅ５）成分：炭素数１以上８以下のアルキルを有するアルキルグリセリルエーテル
（ｅ５）成分として、例えば１−メチルグリセリルエーテル、２−メチルグリセリルエーテル、１，３−ジメチルグリセリルエーテル、１−エチルグリセリルエーテル、１，３−ジエチルグリセリルエーテル、トリエチルグリセリルエーテル、１−ペンチルグリセリルエーテル、２−ペンチルグリセリルエーテル、１−オクチルグリセリルエーテル及び２−エチルヘキシルグリセリルエーテルから選ばれるアルキルグリセリルエーテルが挙げられる。
【００５２】
（ｅ６）成分：炭素数２又は３のアルキレングリコール単位を有する（モノ又はポリ）アルキレングリコールの芳香族アルキルエーテル
（ｅ６）成分として、例えば２−フェノキシエタノール、ジエチレングリコールモノフェニルエーテル、トリエチレングリコールモノフェニルエーテル、平均分子量約４８０のポリエチレングリコールモノフェニルエーテル、２−ベンジルオキシエタノール及びジエチレングリコールモノベンジルエーテルから選ばれる化合物
【００５３】
前記（ｅ４）成分、（ｅ６）成分において「（モノ又はポリ）アルキレングリコール」なる用語は、モノアルキレングリコール又はポリアルキレングリコールを意味する。また、「ポリアルキレングリコール」とは、アルキレングリコール単位を２個以上９個以下の量で含有することを意味する。
【００５４】
（ｅ）成分は、低温での保存安定性が更に向上できる観点で、（ｅ１）成分、（ｅ２）成分、（ｅ４）成分、及び（ｅ６）成分から選ばれる１種以上の化合物が好ましい。
より具体的には、本発明の衣料用液体洗浄剤組成物は、エタノール、プロピレングリコール、ジエチレングリコールモノブチルエーテル、２−フェノキシエタノール、ジエチレングリコールモノフェニルエーテル及びトリエチレングリコールモノフェニルエーテルから選ばれる１種以上の化合物を含有することが好ましい。本発明の衣料用液体洗浄剤組成物は、（ｅ）成分として、エタノール、プロピレングリコール、ジエチレングリコールモノブチルエーテル、２−フェノキシエタノール、ポリエチレングリコールフェニルエーテルから選ばれる１種以上の有機溶剤を含有することが好ましい。
【００５５】
＜水＞
本発明の衣料用液体洗浄剤組成物は、水を含有する。水は、イオン交換水、蒸留水、水道水、次亜塩素酸塩ナトリウムを１ｍｇ／ｋｇ以上５ｍｇ／ｋｇ以下含有する水などを使用することができる。
【００５６】
＜衣料用液体洗浄剤組成物の組成、任意成分等＞
本発明の衣料用液体洗浄剤組成物は、（ａ）成分を、１０質量％以上、７０質量％以下含有する。
好ましくは１２質量％以上、より好ましくは１４質量％以上、さらに好ましくは１５質量％以上、そして、好ましくは６５質量％以下、より好ましくは６０質量％以下、さらに好ましくは５５質量％以下含有する。
【００５７】
本発明の衣料用液体洗浄剤組成物は、（ｂ）成分と（ｃ）成分を、合計で０．２質量％以上、８質量％以下含有する。
衣料への抗菌効果付与がさらに向上する点で、好ましくは０．４質量％以上、より好ましくは０．６質量％以上、さらに好ましくは０．８質量％以上、さらにより好ましくは１．０質量％以上、さらにより好ましくは１．２質量％以上、さらにより好ましくは２．０質量％以上、さらにより好ましくは２．５質量％以上、さらにより好ましくは３．０質量％以上、そして、低温での保存安定性の向上の点で、好ましくは７質量％以下、より好ましくは６質量％以下含有する。
【００５８】
本発明の衣料用液体洗浄剤組成物は、（ｄ）成分を、０．３質量％以上９質量％以下含有する。
洗浄時の泡立ち抑制の観点から、本発明の衣料用液体洗浄剤組成物は、（ｄ）成分を、０．３質量％以上、好ましくは０．５質量％以上、より好ましくは０．７質量％以上、さらに好ましくは１質量％以上、さらにより好ましくは１．５質量％以上含有する。
また、衣料の洗浄後のすすぎ性向上の観点から、本発明の衣料用液体洗浄剤組成物は、（ｄ）成分を、好ましくは１質量％以上、より好ましくは１．５質量％以上含有する。
また、低温での保存安定性をより向上出来る観点から、本発明の衣料用液体洗浄剤組成物は、（ｄ）成分を、９質量％以下、好ましくは８質量％以下、より好ましくは７質量％以下、さらに好ましくは６質量％以下、さらに好ましくは５質量％以下、さらに好ましくは４質量％以下、さらに好ましくは３質量％以下、さらに好ましくは２．８質量％以下、さらに好ましくは２．５質量％以下、さらに２．２質量％以下含有する。
【００５９】
本発明の衣料用液体洗浄剤組成物は、（ｅ）成分を、好ましくは１質量％以上、より好ましくは２質量％以上、さらに好ましくは３質量％以上、そして、好ましくは３０質量％以下、より好ましくは２０質量％以下、さらに好ましくは１５質量％以下含有する。
【００６０】
本発明の衣料用液体洗浄剤組成物は、（ｂ）成分の含有量と（ｃ）成分の含有量の質量比である、（ｂ）成分の含有量／（ｃ）成分の含有量が０．１以上１０以下であることが好ましい。
低温での保存安定性の向上の点で、（ｂ）成分の含有量／（ｃ）成分の含有量の質量比は、好ましくは０．１以上、より好ましくは０．３以上、より好ましくは０．５以上、さらに好ましくは０．７以上、さらにより好ましくは１．０以上、さらにより好ましくは１．５以上、さらにより好ましくは２．０以上であり、そして、好ましくは９以下、より好ましくは８以下、さらに好ましくは７以下、さらにより好ましくは６以下、さらにより好ましくは５以下である。
衣料への抗菌効果付与の向上の点で、（ｂ）成分の含有量／（ｃ）成分の含有量の質量比は、好ましくは０．１以上、好ましくは０．４以上、より好ましくは０．６以上、さらに好ましくは０．８以上、さらにより好ましくは１．０以上、さらにより好ましくは１．４以上、さらにより好ましくは１．８以上、さらにより好ましくは２．０以上であり、そして、好ましくは１０以下、好ましくは９以下、より好ましくは８以下、さらに好ましくは７以下、さらにより好ましくは６以下である。
【００６１】
本発明の衣料用液体洗浄剤組成物は、（ｄ）成分の含有量と（ｃ）成分の含有量の質量比である、（ｄ）成分の含有量／（ｃ）成分の含有量が、０．１以上９以下である。
洗浄時の泡立ち抑制の点で、（ｄ）成分の含有量／（ｃ）成分の含有量の質量比は、０．１以上であり、好ましくは０．３以上、より好ましくは０．５以上、より好ましくは０．６以上、より好ましくは０．７以上、さらに好ましくは１．０以上、さらにより好ましくは２以上、さらにより好ましくは２．５以上、さらにより好ましくは３以上、さらにより好ましくは３．５以上、さらにより好ましくは４以上であり、そして低温での保存安定性の向上の点又は衣料への抗菌効果付与の向上の点で、好ましくは７．５以下、より好ましくは７以下、さらに好ましくは６．５以下、さらにより好ましくは６以下である。
【００６２】
本発明の衣料用液体洗浄剤組成物は、（ｂ）成分の含有量と（ｃ）成分の含有量の合計量と（ｄ）成分の含有量との質量比である、［（ｂ）成分の含有量＋（ｃ）成分の含有量］／（ｄ）成分の含有量が、０．３以上８以下であることが好ましい。
衣料に高い抗菌効果と低温安定性を付与できる点で、［（ｂ）成分の含有量＋（ｃ）成分の含有量］／（ｄ）成分の含有量の質量比は、好ましくは０．３以上、好ましくは０．４以上、より好ましくは０．５以上、さらに好ましくは０．６以上、さらにより好ましくは０．７以上、さらにより好ましくは０．８以上、さらにより好ましくは１．０以上、さらにより好ましくは１．２、さらにより好ましくは１．５以上であり、そして洗浄時の泡立ちがより少ない点で、好ましくは８以下、より好ましくは７以下、より好ましくは６以下、さらに好ましくは５以下、さらにより好ましくは４以下である。
【００６３】
本発明の衣料用液体洗浄剤組成物は、任意成分として、下記の（１）〜（９）の成分を含有することが出来る。
（１）アルカリ剤
洗浄力の向上の点からアルカリ剤を含有することが好ましい。アルカリ剤は、アルカリ金属水酸化物、アルカリ金属炭酸塩などの無機アルカリ剤、窒素原子に結合する基のうち、１つ以上、３つ以下が炭素数２以上、４以下のアルカノール基であり、残りが炭素数１以上、４以下のアルキル基又は水素原子であるアルカノールアミンを挙げることができる。このうちアルカノール基はヒドロキシアルキル基、更にヒドロキシエチル基であるものが好ましい。アルカノール基以外は水素原子、又はメチル基が好ましく、特に水素原子が好ましい。アルカノールアミンとしては、２−アミノエタノール、Ｎ−メチルエタノールアミン、Ｎ，Ｎ−ジメチルエタノールアミン、Ｎ，Ｎ−ジエチルエタノールアミン、ジエタノールアミン、Ｎ−メチルジエタノールアミン、トリエタノールアミン等のアルカノールアミン類が挙げられる。本発明では、（ｆ）成分として、モノエタノールアミン及びトリエタノールアミンから選ばれるアルカノールアミンが好ましく、モノエタノールアミンがより好ましい。
また、上記（１）成分であるアルカリ剤は本発明の衣料用液体洗浄剤組成物のｐＨを所定の値に調整する為にも用いることが出来る。
本発明の衣料用液体洗浄剤組成物では、（１）成分を、後出するｐＨになるような量を配合しても良い、具体的には０．０１質量％以上、更に０．５質量％以上、そして、１０質量％以下、更に８質量％以下、含有しても良い。なお、本発明では、（１）成分のアルカリ剤、中でもアルカノールアミンの配合量には、アニオン活性剤の対イオンなど、他の成分に由来して組成物中に配合される分も算入するものとする。
【００６４】
（２）キレート剤
キレート剤の具体例として、例えば、エチレンジアミン四酢酸、ジエチレントリアミン五酢酸、ヒドロキシエチルイミノ二酢酸等のアミノポリ酢酸又はこれらの塩、クエン酸、乳酸、酒石酸、リンゴ酸等の有機酸又はこれらの塩、１−ヒドロキシエチリデン−１，１−ジホスホン酸、ジエチレントリアミンペンタ（メチレンホスホン酸）、これらのアルカリ金属または低級アミン塩等が挙げられる。（２）成分のキレート剤の含有量は、酸型とみなした場合に０．１質量％以上、５質量％以下であり、好ましくは０．１質量％以上、４質量％以下、より好ましくは０．１質量％以上、３質量％以下である。
【００６５】
（３）再汚染防止剤及び／又は分散剤
再汚染防止剤及び／又は分散剤としては、ポリアクリル酸、ポリマレイン酸、カルボキシメチルセルロースなどが挙げられる。再汚染防止剤及び／又は分散剤の含有量は、組成物中、０．０１質量％以上１０質量％以下が好ましい。
【００６６】
（４）漂白剤
漂白剤としては、過酸化水素、過炭酸ナトリウムまたは過硼酸ナトリウム等が挙げられる。漂白剤の含有量は、組成物中、０．０１質量％以上１０質量％以下が好ましい。
【００６７】
（５）漂白活性化剤
漂白活性化剤としては、テトラアセチルエチレンジアミン、特開平６−３１６７００号の一般式（Ｉ−２）〜（Ｉ−７）で表される漂白活性化剤等が挙げられる。漂白活性化剤の含有量は、組成物中、０．０１質量％以上１０質量％以下が好ましい。
【００６８】
（６）酵素
酵素としては、セルラーゼ、アミラーゼ、ペクチナーゼ、プロテアーゼ及びリパーゼから選ばれる１種以上の酵素が挙げられる。酵素の含有量は、組成物中、０．００１質量％以上２質量％以下が好ましい。（６）成分としては、より速い洗浄速度が得られる点で、アミラーゼを含む酵素が好ましい。皮脂汚れが付着した衣料上に、ミートソースなどの食べこぼし汚れが付着した汚れに対して、より高い洗浄性が得られる点で、アミラーゼ及びプロテアーゼを含む酵素であることが好ましい。
【００６９】
（７）蛍光染料
蛍光染料としては、例えばチノパールＣＢＳ（商品名、チバスペシャリティケミカルズ製）やホワイテックスＳＡ（商品名、住友化学社製）として市販されている蛍光染料が挙げられる。蛍光染料の含有量は、組成物中、０．００１質量％以上１質量％以下が好ましい。
【００７０】
（８）酸化防止剤
酸化防止剤としては、ブチルヒドロキシトルエン、ジスチレン化クレゾール、亜硫酸ナトリウム及び亜硫酸水素ナトリウム等が挙げられる。酸化防止剤の含有量は、組成物中、０．０１質量％以上、２質量％以下が好ましい。
【００７１】
（９）色素、香料、抗菌防腐剤、シリコーン等の消泡剤を適量。
【００７２】
本発明の（ｃ）成分と（ｄ）成分が、衣料用液体洗浄剤組成物で共存することによる低温保存安定性の低下を、（ｂ）成分が抑制する効果をより享受できる観点で、本発明の衣料用液体洗浄剤組成物は、２５℃におけるｐＨが２．５以上８．５以下であることが好ましい。該ｐＨは８．０以下が好ましく、７．８以下がより好ましく、７．６以下がさらに好ましく、そして３．０以上が好ましく、３．５以上がより好ましく、４．０以上がさらに好ましい。該ｐＨは、ガラス電極を用いて２５℃で測定した値である。具体的には、以下の方法で測定されたものである。
【００７３】
＜ｐＨの測定方法＞
堀場製作所製ｐＨメーター  Ｄ−５２にｐＨ電極（型式６３６７）をあらかじめフタル酸緩衝液（ｐＨ４．０１）、リン酸標準液（ｐＨ６．８４）、ホウ酸塩標準液（ｐＨ９．１８）で校正し、イオン交換水で十分すすいでおく。温度を２５℃に調整した衣料用液体洗浄剤組成物に、上記の通り校正、洗浄したｐＨ電極を入れ、ｐＨメーターのＡＵＴＯ  ＨＯＬＤモードを用いて、測定値が一定になるまで測定する。
【００７４】
本発明の衣料用液体洗浄剤組成物は、衣類、タオル、寝具、寝具用の繊維製品（シーツ、枕カバーなど）などの衣料の洗浄に用いられる。これら以外の洗濯が可能な繊維製品も対象とすることができる。
【００７５】
＜実施例＞
下記成分を用い、表１に示す衣料用液体洗浄剤組成物を調製し、得られた組成物を用いて、下記の方法で殺菌性及び低温安定性の評価を行った。その結果を表１に示す。
ｐＨの調整は水酸化ナトリウムの１質量％の水溶液とクエン酸を用いた。ｐＨの測定は、ガラス電極を使用したｐＨメーターを使用した。ｐＨ調整時の組成物の温度は２５℃で行った。表１中の衣料用液体洗浄剤組成物の２５℃のｐＨは５．０であった。
【００７６】
＜（ａ）成分＞
ａ−１：ポリオキシエチレン（１２）ラウリルエーテル（（  ）内の数字はオキシエチレン基の平均付加モル数を表す。）
ａ−２：炭素数の１２〜１４の直鎖１級アルコールに、エチレンオキシドを平均９モル、プロピレンオキシドを平均２モル、エチレンオキシドを平均９モル、この順で付加させたポリオキシアルキレンアルキルエーテル。一般式（ａ１）中、Ｒａ１が炭素数１２〜１４の直鎖アルキル基、Ｒａ２が水素原子、ｍが０、Ａ１Ｏ基がエチレンオキシ基及びプロピレンオキシ基、ｎが合計で２０（エチレンオキシ基が９モル、プロピレンオキシ基が２モル、エチレンオキシ基が９モル）の化合物。
ａ−３：ソフタノール７０（日本触媒(株)製）、炭素数１２〜１４の２級アルコールにエチレンオキシドが平均７モル付加した化合物。
ａ−４：炭素数９〜１６のアルキル基を有するアルキルベンゼンスルホン酸ナトリウム。
ａ−５：ポリオキシエチレン（平均付加モル数２）ラウリルエーテル硫酸エステルナトリウム（花王株式会社製）。一般式（ａ２）中、Ｒａ3が炭素数１２の直鎖アルキル基、ｌが２、Ａ１Ｏ基がエチレンオキシ基の化合物。
【００７７】
＜（ｂ）成分＞
ｂ−１：Ｎ，Ｎ−ジデシル−Ｎ−エチル−Ｎ−メチルアンモニウムエチルサルフェート
ｂ−２：Ｎ，Ｎ−ジデシル−Ｎ，Ｎ−ジメチルアンモニウムクロリド
ｂ−３：Ｎ，Ｎ−ジオクチル−Ｎ，Ｎ−ジメチルアンモニウムクロリド
【００７８】
＜（ｂ’）成分：（ｂ）成分の比較化合物＞
ｂ’−１：Ｎ，Ｎ−ジドデシル−Ｎ−エチル−Ｎ−メチルアンモニウムエチルサルフェート
【００７９】
＜（ｃ）成分＞
ｃ−１：Ｎ−ミリスチル−Ｎ，Ｎ，Ｎ−トリメチルアンモニウムクロリド
ｃ−２：Ｎ−ラウリル−Ｎ，Ｎ，Ｎ−トリメチルアンモニウムクロリド
【００８０】
＜（ｄ）成分＞
ｄ−１：混合脂肪酸１（ラウリン酸／ミリスチン酸／パルミチン酸／ステアリン酸／オレイン酸／リノール酸＝３２／５５／６／２／４／１（質量比））
ｄ−２：混合脂肪酸２（ラウリン酸／ミリスチン酸／パルミチン酸／ステアリン酸＝３２／５５／６／７（質量比））
【００８１】
＜（ｅ）成分＞
ｅ−１：ジエチレングリコールモノブチルエーテル
ｅ−２：ポリエチレングリコールフェニルエーテル（エチレングリコールモノフェニルエーテル／ジエチレングリコールモノフェニルエーテル／トリエチレングリコールモノフェニルエーテル＝９５／４／１（質量比）の混合物）
ｅ−３：プロピレングリコール
ｅ−４：エタノール
【００８２】
＜任意成分＞
・モノエタノールアミン
・亜硫酸ナトリウム
・酵素（プロテアーゼ、花王(株)製）
・香料
・蛍光染料（チノパールＣＢＳ：商品名、チバスペシャリティケミカルズ製）
【００８３】
＜抗菌性の試験方法＞
（１）抗菌性試験に用いる布の調製
ターゴトメーターに、木綿布（木綿＃２００３、谷頭商店製）３０ｇ、及び洗浄液（表の衣料用液体洗浄剤組成物を０．３３ｇ／Ｌとなるように水で希釈したもの）６００ｍｌを投入し、８５ｒｐｍで洗浄１０分、すすぎ３分の操作を５回累積して行ったものを試験布とした。水は全て煮沸滅菌済みの水道水を使用した。
【００８４】
（２）抗菌性試験
着用済の衣料から分離したマイクロコッカス属細菌（Micrococcus sp）を用いて、ＪＩＳ  Ｌ  １９０２に則り抗菌性試験を行った。具体的には以下のように行った。上記方法で作製した試験布を２ｃｍ四方に裁断した試験片（１片あたりの質量は約０．４ｇ）を、検体とした。
【００８５】
（ｉ）着用済みの衣類から分離されたマイクロコッカス属細菌（Micrococcus sp）をＳＣＤ−ＬＰ寒天培地を平板としたプレートに画線培養し、３７℃２４時間培養したものを白金耳でかきとり、ニュートリエント（ＮＴ）培地１０ｍＬに入れて、３７℃、１１０ｒｐｍの条件で２４時間前培養した。
前培養した培養液の濃度を吸光度法によって推定し、菌濃度を約１×１０８個／ｍＬに調整した。その後、１／２０ＮＴ培地でさらに希釈し、菌濃度を１×１０５個／ｍＬに調整し、試験菌液とした。
（ii）試験菌液をピペットで正確に０．２ｍＬ採取し、各検体又は未処理布である標準布（ＪＩＳ  Ｌ  １９０２の標準布）のそれぞれについて、１枚につき数ヵ所に接触させ、バイアル瓶に投入し、蓋を閉めた状態で、３７℃で１８時間培養した。試験菌液の接種、培養は、検体と標準布のそれぞれについて、複数を行った。
（iii）培養後の標準布及び接触直後の標準布を無作為に５つずつ選定し、洗い出し用ＬＰ希釈液２０ｍＬを加え、蓋を閉め、試験用攪拌器で３０秒攪拌し、菌を洗い流し、菌数を計測した。
培養後の検体を無作為に５つ選定し、検体ごとに、洗い流し用ＬＰ希釈液２０ｍＬを加え、蓋を閉め、試験用攪拌器で３０秒攪拌し、菌を洗い流し、菌数を計測した。
【００８６】
静菌活性値を下記の式で求めた。静菌活性値が高い程、抗菌性が高いことを表す。静菌活性値が２．２以上を合格とした。
静菌活性値＝ＬｏｇＢ−ＬｏｇＣ
Ａ：接種直後の標準布から回収した菌数の平均値
Ｂ：１８時間培養後の標準布から回収した菌数の平均値
Ｃ：１８時間培養後の検体から回収した菌数の平均値
ただし、試験成立条件である、ＬｏｇＢ−ＬｏｇＡが１．５を超えることを満たすものとする。
【００８７】
〔低温（−５℃）での保存安定性の試験方法〕
表１に記載の衣料用液体洗浄剤組成物を、Ｎｏ．６のビンに５０ｇ入れ、−５℃の恒温槽に入れた。入れた日を０日目とし、２４時間後を１日後として、７日目及び１４日目での−５℃での外観を目視で観察した。表１に示す実施例において、初期の組成物の外観は「透明」であった。「濁り」、「分離」、「固形物の沈澱」又は「固形物の浮上」等の変化を外観の変化とした。本発明において、ＡとＢが合格であり、Ｃは不合格である。
なお、本発明における低温（−５℃）での保存安定性試験は、本発明の衣料用液体洗浄剤組成物が低温保存に対する耐性を試験するポテンシャル試験である。外観が変化するまでの日数がより長い組成物が、低温（−５℃）に対してより耐性のある衣料用液体洗浄剤組成物であると言える。
【００８８】
Ａ：１４日目の外観に変化はなかった。
Ｂ：７日目の外観の変化はなかったが、１４日目には外観が変化していた。
Ｃ：７日目の外観が変化していた。
【００８９】
【表１】
0006676351.tif 000004